【手続補正書】
【提出日】平成30年9月12日(2018.9.12)
【手続補正１】
【補正対象書類名】特許請求の範囲
【補正対象項目名】全文
【補正方法】変更
【補正の内容】
【特許請求の範囲】
【請求項１】
第１の外板と、前記第１の外板の反対側の第２の外板と、これらの間のコアとを含むサンドイッチパネルの孔内に取り付けられるように構成されたインサートであって、
前記インサートが前記サンドイッチパネル内に取り付けられた際に、前記サンドイッチパネルの前記第１の外板及び前記第２の外板のうちの一方と係合するように構成されたパネル係合構造部と、
前記パネル係合構造部の反対側にある遠位端部と、
前記パネル係合構造部と前記遠位端部との間に位置する本体であって、前記インサートが前記サンドイッチパネル内に取り付けられた際に前記サンドイッチパネルの前記コアと係合するように構成されているとともに、前記パネル係合構造部から前記遠位端部に向かって前記本体内に延びる穴が形成されている本体と、
接着剤を使用せずに前記サンドイッチパネル内に前記インサートを保持するように構成されており、前記インサートが前記サンドイッチパネル内に取り付けられた際に、少なくとも一部が前記サンドイッチパネルの前記第１の外板と前記第２の外板との間に位置するように構成された保持部と、
前記サンドイッチパネルに対する前記インサートの回転を防止するように構成された回転防止部とを含み、前記回転防止部は、前記サンドイッチパネルに対する、前記穴の長軸を中心とする前記インサートの回転を阻止するように構成されており、前記インサートは、前記穴に二次的部材が挿入されるように構成されており、前記二次的部材は、前記インサートを介して、前記サンドイッチパネルに局所的負荷を伝達するように構成されており、
前記パネル係合構造部の前記回転防止部は、前記パネル係合構造部の主外縁から延びる少なくとも１つの延出部を含み、前記少なくとも１つの延出部は、前記インサートが前記サンドイッチパネル内に取り付けられた際に、前記第１の外板及び前記第２の外板のうちの一方に隣接して位置するように構成されており、前記少なくとも１つの延出部は、前記インサートが前記孔内で回転されるにともなって、前記第１の外板の一部を変形させるか、前記第２の外板の一部を変形させるように構成されている、インサート。
【請求項２】
前記サンドイッチパネルの前記第１の外板は、前記サンドイッチパネルの前記コアとは反対側を向く第１外側面、及び、前記第１外側面の反対側の、前記サンドイッチパネルの前記コアに対面する第１内側面を含み、前記インサートが前記サンドイッチパネル内に取り付けられた際に、前記パネル係合構造部の少なくとも一部は、前記第１の外板の前記第１内側面と前記コアとの間に位置するように構成されている、請求項１に記載のインサート。
【請求項３】
前記サンドイッチパネルの前記第２の外板は、前記サンドイッチパネルの前記コアとは反対側を向く第２外側面、及び、前記第２外側面の反対側の、前記サンドイッチパネルの前記コアに対面する第２内側面を含み、前記インサートが前記サンドイッチパネル内に取り付けられた際に、前記パネル係合構造部の少なくとも一部は、前記第２の外板の前記第２内側面と前記コアとの間に位置するように構成されている、請求項１又は２に記載のインサート。
【請求項４】
前記延出部は、その長さに沿って厚みが変化する楔形である、請求項１〜３のいずれかに記載のインサート。
【請求項５】
前記インサートは、前記サンドイッチパネル内に取り付けられる際に、前記サンドイッチパネルに対して回転させられて、前記パネル係合構造部の少なくとも一部が、前記コアと前記第１の外板及び前記第２の外板のうちの一方との間の位置まで回転するように構成されている、請求項１〜４のいずれかに記載のインサート。
【請求項６】
前記インサートの前記回転防止部は、前記サンドイッチパネル内での前記インサートの回転を実質的に防止するように構成されたリテイナーを含み、前記リテイナーは、前記リテイナーが前記インサートに対して取り付けられた際に前記インサートの前記穴と実質的に同心状となる貫通孔を含み、前記貫通孔は、前記穴と略等しい直径を有し、前記リテイナーは、前記リテイナーが前記インサートに対して取り付けられた際に、前記サンドイッチパネルの前記コアの少なくとも１つの露出部分を覆うように構成されている、請求項１〜５のいずれかに記載のインサート。
【請求項７】
前記リテイナーは、実質的に平らな面、及び、前記実質的に平らな面から延びる少なくとも１つの突出タブを含み、前記実質的に平らな面は、前記インサートの前記パネル係合構造部と係合するように構成されており、前記少なくとも１つの突出タブは、前記サンドイッチパネルの前記コア、前記第１の外板、及び前記第２の外板のうちの１つ又は複数と係合するように構成されている、請求項６に記載のインサート。
【請求項８】
第１の外板、前記第１の外板の反対側の第２の外板、及び、これらの間のコアを含むサンドイッチパネルに形成された孔に、インサートを取り付ける方法であって、
請求項１〜７のいずれかに記載の少なくとも１つのインサートを用意し、
前記サンドイッチパネルに少なくとも１つの孔を形成し、前記サンドイッチパネルの前記第１の外板は、第１内側面、及び、これと反対側の第１外側面を有し、前記サンドイッチパネルの前記第２の外板は、第２内側面、及び、これと反対側の第２外側面を有し、前記第１外側面と第２外側面とは互いに反対側を向いており、前記コアは、前記第１の外板の前記第１内側面と前記第２の外板の前記第２内側面との間に挟まれており、前記少なくとも１つの孔を形成するに際し、前記第１の外板及び前記第２の外板のうちの少なくとも一方を貫通して前記コア内に延びるように少なくとも１つの孔を形成し、
前記少なくとも１つの孔のそれぞれに少なくとも１つのインサートを取り付け、その際に、前記インサートの前記パネル係合構造部が前記サンドイッチパネルと係合し、前記インサートの前記本体が前記サンドイッチパネルの前記コア内の前記孔内に位置するようにする、方法。
【請求項９】
前記少なくとも１つのインサートを取り付けるに際し、前記少なくとも１つのインサートを前記孔の長軸を中心として回転させ、任意には、前記インサートを、少なくとも５°、少なくとも１０°、少なくとも２０°、少なくとも３０°、少なくとも４０°、少なくとも５０°、少なくとも６０°、少なくとも７０°、少なくとも８０°、少なくとも９０°、少なくとも１２０°、少なくとも１５０°、及び／又は、少なくとも１８０°回転させる、請求項８に記載の方法。
【請求項１０】
前記少なくとも１つのインサートを取り付けるに際し、前記孔に隣接する位置において、前記第１の外板と前記コアとの接合を破断する、請求項８又は９に記載の方法。
【請求項１１】
前記少なくとも１つのインサートを取り付けるに際し、前記孔に隣接する位置において、前記第２の外板と前記コアとの接合を破断する、請求項８〜１１のいずれかに記載の方法。
【請求項１２】
さらに、前記少なくとも１つのインサートにリテイナーを取り付け、前記リテイナーは、前記サンドイッチパネルに対する、前記少なくとも１つのインサートの動きを阻止するように構成されている、請求項８〜１１のいずれか１つに記載の方法。
【請求項１３】
前記リテイナーは複数のタブを含み、前記複数のタブの各々の少なくとも一部は、前記第１の外板の前記第１内側面と前記コアとの間に配置されるように構成されている、請求項１２に記載の方法。